Podtech/llm-jp-corpus-v4-ja_patent huggingface dataset:
(57)【要約】【課題】本考案は従来の蛍光灯などによる照明よりも一層の効率化と省スペースを解決するものである。さらに電気工事などの軽減が可能となる。【解決手段】本考案はＬＥＤを使用するにあたってまずケースの小型化を目指し断面巾１８ｍｍ高さ２４ｍｍを実現し、加えて直流電源を別途に設置する必要がないようにケース内で整流変換をして交流１００Ｖ直接入力で点灯できるようにした。さらに基板の接続によって器具本体の長さを自在に製作出来ることや照明器具と照明器具を外部コネクターで接続（最大１５０Ｗ）することで利便性と電気工事の軽減が計れる。また種々な場所や屋内外でも同じ仕様で設置できることからよりフレキシブルに照明効果が得られ従来の照明器具では困難なことが可能となる。【選択図】図１
0003135499.tif 000002
【実用新案登録請求の範囲】
【請求項１】
超小型ケースのＬＥＤの照明器具（断面２４ｍｍｘ１８ｍｍ）で且つ直接ＡＣ１００Ｖを入力し効率的な整流電源を内蔵した完全防水の機能を有するＬＥＤ照明器具。
【請求項２】
前記のＬＥＤ照明器具は内部に砲弾型又はチップＬＥＤをＬ＝３００ｍｍの基板に装着しているがこのＬ＝３００ｍｍの基板を接続していくことで３００ｍｍピッチ毎に長さを変更できる。いわゆるＬ＝３００ｍｍ、Ｌ＝６００ｍｍ、Ｌ＝９００ｍｍ、Ｌ＝１２００等と用途に応じて照明器具の長さを容易に製作できるＬＥＤ照明器具。
【請求項３】
前記のＬＥＤ照明器具はその長さに関わらず外部コネクターを接続することで最大はＬ＝３００ｍｍを５０ユニットまで連続して接続できる特徴を有するＬＥＤ照明器具。
【考案の詳細な説明】
【技術分野】
【０００１】  超小型でスリムなＡＣ１００Ｖ直接入力で点灯するＬＥＤ照明器具で且つＬ＝３００ｍｍの基板に装着された砲弾型又はチップ型の標準基板を接続することで、器具本体の長さを自在に製作出来る加工で外部コネクターに接続することでＬ＝３００ｍｍのＬＥＤ照明器具を５０ユニットまで接続可能にしたＬＥＤ照明器具。
【背景技術】
【０００２】    一般的に同様のＬＥＤ照明器具はサイズが大きく又単品での使用であり連続して組み込み自在に器具の長さを調節できない。
【考案の開示】
【考案が解決しようとする課題】
【０００３】  従来は天上等の照明の場合蛍光灯が多く使用されており、取り付けスペースやメンテナンス等で問題が多いのを効果的に解決しようとするものである。
【課題を解決するための手段】
【０００４】  本考案はこの問題を解決し小さなスペースで配線も容易に且つ連続して接続することでフレキシブルに取り付けが可能となっている。【０００５】  前記のようにフレキシブルに取り付けが可能になりより一層照明効果を演出できる。
【考案の効果】
【０００６】  上述のように長さを自由に調節できることから既存の建物にもねじ止めなどの必要もなく、ＬＥＤの特徴である長寿命で大幅にメンテナンス費用も削減できる。【０００７】  交流１００Ｖ入力で点灯するために直流電源を必要とせず既存の照明器具の代替品として容易に使用できるようにした。【０００８】  完全防水型でポリカーボネイトのケース使用により屋外での使用においても屋内同様に使用できるようにしており省電力を目指すことができる。
【考案を実施するための最良の形態】
【０００９】  従来の蛍光灯および同様なＬＥＤ照明器具に比べて超小型スリム化した照明器具で天井などの狭いスペースでも容易に取り付けができ、加えてコーナーなども自在に取り付けを可能にした。またＬ＝３００ｍｍで５０ユニットを連続して接続できることから電気工事にかかるコストと時間を削減でき、加えて超小型ゆえに照明の演出が非常に容易にできより一層の利便性が確保される。
【実施例】
【００１０】  本考案は図１に示すように巾２４ｍｍ、高さ１８ｍｍ、長さ３００ｍｍという超小型スリムなＬＥＤ照明器具であり、基板底面に樹脂を封入することにより万一水漏れなどが発生した場合にも完全に基板部およびＬＥＤ取り付け部を保護し完全防水型としている。【００１１】  さらに図１、図３に示すようにＡＣ１００Ｖ電源を外部コネクターに次の器具を接続することにより５０ユニット（１５０Ｗ）まで連続して接続可能にした。また図３に示すようにＡＣ１００ＶをＤＣ（直流）に変換する部分を効率的に配して狭いスペースで実現する。【００１２】  また図２、図３に示すように基板のサイズを予め砲弾型、チップ型の基板２種類を準備して長さ１０００ｍｍなどにも基板を組み合わせによりフレキシブルに器具の長さに対応できるようにする。【００１３】  本考案は外部に使用する場合にも適用できるようにケースをすべてポリカーボネイトにして（図１）適宜底面を使用現場に応じてステンレス板で補強し耐候性に強い構造とした。
【図面の簡単な説明】
【００１４】
【図１】本考案に関わる超小型スリムＬＥＤ照明器具を示す姿図
【図２】基板の組み合わせによる長さ１０００ｍｍの超小型スリムＬＥＤ器具の姿図
【図３】砲弾型ＬＥＤ基板およびチップ型用基板図
【符号の説明】
【００１５】１  超小型スリムＬＥＤ照明器具の断面
２  防水用樹脂封入部
３  コネクター（防水型）
４  ポリカーボネイトカバー
５，６  長さ１０００ｍｍの超小型スリム照明器具姿図および補強用ステンレスフレーム
７  ＡＣからＤＣ電流変換部（チップ型、砲弾型共通）
８  ＡＣ１００Ｖ電源送り部
９  砲弾型ＬＥＤ用基板
１０チップ型ＬＥＤ基板
１１小型チップ型基板
【図１】
0003135499.tif 000003
【図２】
0003135499.tif 000004
【図３】
0003135499.tif 000005
(57)【要約】      （修正有）【課題】従来の石鹸では、使用して少量になった石鹸は使用しにくいので、多くの場合そのまま放置されるかストッキング等に幾つか入れて使用していた。これでは、使用しなければ不経済であり、用具を用いて使用することは、面倒でありかつ使い勝手がよくない。そこで、無駄なく何の用具を用いずに、小さくなった石鹸を最後まで使用できる石鹸を提出する。【解決手段】石鹸に、使用して少量になった固形石鹸を入れることが出来る窪み又は溝１を設ける。【選択図】図１
0003135491.tif 000002
【実用新案登録請求の範囲】
【請求項１】
使用して少量になった固形石鹸を入れることが出来る窪み又は溝のある固形石鹸。
【考案の詳細な説明】
【技術分野】
【０００１】  本考案は、固形石鹸の形状に関する。
【背景技術】
【０００２】  従来の固形石鹸では、使用して少量になった石鹸は使用しにくいので、多くの場合そのまま放置されるか、ストッキング等の用具を用いて使用していた。（図２）
【考案の開示】
【考案が解決しようとする課題】
【０００３】  しかし、これではそのまま使用しないことは不経済でありかつ邪魔である。用具を用いて使用することは面倒かつ使い勝手もよくない。
【課題を解決するための手段】
【０００４】  そこで、本考案の少量になった石鹸を入れることが出来る窪み又は溝のある石鹸を考案した。
【考案の効果】
【０００５】  よって、本考案の窪みを備えた石鹸に使用して少量になった石鹸を入れるため、無駄なく何の用具を用いずに、小さくなった石鹸を最後まで使用できる。
【考案を実施するための最良の形態】
【０００６】  本考案に係る窪み又は溝のある石鹸を１０は、図１に示すように、少量になった石鹸を入れることが出来る窪み又は溝１がある。
【図面の簡単な説明】
【０００７】
【図１】  本考案に係る窪み又は溝のある石鹸の断面図である。
【図２】  従来の石鹸の断面図である。
【符号の説明】
【０００８】  １  石鹸
１０  窪み又は溝
【図１】
0003135491.tif 000003
【図２】
0003135491.tif 000004
(57)【要約】【課題】様々な機能を備えた携帯電話の、置き忘れや紛失の不都合の解消等。【解決手段】携帯電話に赤外線または電波発信機を内蔵させ、一方でこの発信機に対する受信機を製作し、携帯電話と受信機が２Ｍ以上離れると、この受信機からブザーまたは振動を発するようにする。携帯電話の持主は、携帯電話と受信機双方を持ち歩き、携帯電話を置き忘れたり紛失した場合に、受信機からのブザーまたは振動により持主に知らせ、この課題を解決する。【選択図】図１
0003135459.tif 000002
【実用新案登録請求の範囲】
【請求項１】
携帯電話に内蔵させた赤外線または電波発信機と、この発信機用受信機の組み合わせによる、携帯電話置き忘れ防止装置。
【考案の詳細な説明】
【技術分野】
【０００１】本考案は携帯電話に内蔵させた赤外線または電波発信機と受信機に関する。
【背景技術】
【０００２】従来の携帯電話には置き忘れや紛失が多い。
【考案の開示】
【考案が解決しようとする課題】
【０００３】しかし、従来のように携帯電話を置き忘れたり紛失したりすると、近年様々な機能、特に財布機能等を備えており不便である。
【課題を解決するための手段】
【０００４】携帯電話に赤外線または電波発信機を内蔵させ、一方でこの発信機に対する受信機を製作し、携帯電話と受信機が２Ｍ以上離れると、この受信機からブザーまたは振動を発するようにする。
携帯電話の持主は、携帯電話と受信機双方を持ち歩き、携帯電話を置き忘れたり紛失した場合に、受信機からのブザーまたは振動により持主に知らせ、この課題を解決する。
【考案の効果】
【０００５】よって本考案の置き忘れ防止装置により、携帯電話を置き忘れたり紛失したりする事が防止できる。
【考案を実施するための最良の形態】
【０００６】本考案に係る携帯電話置き忘れ防止装置は、図１に示すように携帯電話に、赤外線または電波発信機を内蔵させ１、一方でこれに対する受信機２を製作する。
当発信機の電源は携帯電話本体より、受信機は電池より供給されるようにする。
赤外線または電波発信機を内蔵された携帯電話から、受信機が２Ｍ以上離れると、この受信機から数分間ブザーまたは振動を発するようにして携帯電話の置き忘れや紛失を持ち主に知らせる。
【図面の簡単な説明】
【０００７】
【図１】考案に係る携帯電話置き忘れ防止装置の概念図である。
【符号の説明】
【０００８】１．赤外線又は電波発信機を内蔵した携帯電話
２．赤外線又は電波受信機
３．赤外線又は電波
４．受信機電源入切スイッチ
【図１】
0003135459.tif 000003
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
携帯電話に赤外線または電波発信機を内蔵させ、一方でこの発信機に対する受信機を製作し、携帯電話と受信機が２Ｍ以上離れると、この受信機からブザーまたは振動を発するようにする。携帯電話の持主は、携帯電話と受信機双方を持ち歩き、携帯電話を置き忘れたり紛失した場合に、受信機からのブザーまたは振動により、持主に知らされる。
上記のように携帯電話に内蔵させた赤外線または電波発信機と、この発信機用受信機の組み合わせを特徴とする、携帯電話置き忘れ防止装置。
【手続補正書】
【提出日】平成19年6月8日(2007.6.8)
【手続補正１】
【補正対象書類名】実用新案登録請求の範囲
【補正対象項目名】全文
【補正方法】変更
【補正の内容】
【実用新案登録請求の範囲】
【請求項１】
携帯電話に赤外線または電波発信機を内蔵させ、一方でこの発信機に対する受信機を製作し、携帯電話と受信機が２Ｍ以上離れると、受信機がブザーまたは振動を発っして置き忘れを知らせるという、携帯電話に内蔵させた発信機と受信機の組み合わせを特徴とする携帯電話置き忘れ防止装置。
(57)【要約】      （修正有）【課題】帽子は、天蓋の中に風通しが無く、夏期は、汗で蒸れて不快になりがちであり、サンバイザーは、頭頂部への日差しを遮ることができず、炎天下での長時間使用では日射病になる危険性がある、という課題があった。そこで、風通しがよく、頭頂部への日差しを遮る、幌付サンバイザーを提供する。【解決手段】前頭部３および後頭部４を開放した、遮光性の幌１を、サンバイザー２の、左右の、側頭部５に取り付ける。【選択図】図１
0003135489.tif 000002
【実用新案登録請求の範囲】
【請求項１】
前頭部３および後頭部４を開放した、遮光性の幌１を、サンバイザー２の、左右の、側頭部５に取り付けた、幌付サンバイザー。
【考案の詳細な説明】
【技術分野】
【０００１】本考案は、被り物に関する。
【背景技術】
【０００２】夏期の強い日差しを遮る被り物として、帽子またはサンバイザーがある。
【考案の開示】
【考案が解決しようとする課題】
【０００３】帽子は、天蓋が頭部を覆うため、頭頂部への日差しを遮ることはできるが、風通しが無く、夏期は、汗で蒸れて不快になりがちである。サンバイザーは、天蓋が無いため、頭頂部への日差しを遮ることができず、炎天下での長時間使用では日射病になる危険性がある。
【課題を解決するための手段】
【０００４】前頭部３および後頭部４を開放した、遮光性の幌１を、サンバイザー２の、左右の、側頭部５に取り付ける。
【考案の効果】
【０００５】本考案は、遮光性の幌１により、頭頂部への日差しが遮られるため、日射病になりにくく、前頭部３および後頭部４が開放されているため、風通しがよく、汗で蒸れて不快になることが少ない。
【考案を実施するための最良の形態】
【０００６】遮光性の幌１の、前頭部３および後頭部４への張り出しを、大きくするほど、斜め方向からの日差しを遮ることができるが、風に飛ばされやすくなるので、遮光性の幌１の、前頭部３および後頭部４への張り出しを、ほどよい大きさとすることが最良の形態である。
【実施例】
【０００７】図１は、本考案の幌付サンバイザーである。【０００８】図２、図３は、折りたためるようにした本考案の幌付サンバイザーである。
【産業上の利用可能性】
【０００９】多くの人々が、夏の炎天下での、スポーツ観戦、イベント参加、レジャー等の、アウトドア活動を、日射病になる危険性を少なくして、快適に楽しむことができる。
【図面の簡単な説明】
【００１０】
【図１】本考案の斜視図である。
【図２】折りたためるようにした本考案の使用時の斜視図である。
【図３】折りたためるようにした本考案の折りたたみ時の側面図である。
【符号の説明】
【００１１】１遮光性の幌
２サンバイザー
３前頭部
４後頭部
５側頭部
【図１】
0003135489.tif 000003
【図２】
0003135489.tif 000004
【図３】
0003135489.tif 000005
(57)【要約】      （修正有）【課題】外出時持ち歩く紙オムツ・おしりふき・使用済みオムツ処理袋がバッグの中でかさばってしまう不都合を解消する。【解決手段】紙オムツ１・おしりふき２・使用済みオムツ処理袋３を一緒に圧縮袋４に入れ真空パックにした事により荷物をコンパクトにする。【選択図】図１
0003135490.tif 000002
【実用新案登録請求の範囲】
【請求項１】
紙オムツをおしりふきと使用済みオムツを処理する袋と一緒に真空パックにし、出かける際にバッグの中でオムツがかさばらず、尚且つ使用済みのオムツ用ゴミ箱が無い所でも臭いを気にせずバッグの中にしまえる真空パックオムツ。
【考案の詳細な説明】
【技術分野】
【０００１】  本考案は、外出時使用する紙オムツ・おしりふき・使用済みオムツ処理袋に関する。
【背景技術】
【０００２】  従来は紙オムツ・おしりふき・使用済みオムツ処理袋をそれぞれバッグに入れて持ち歩いていた。
【考案の開示】
【考案が解決しようとする課題】
【０００３】  しかし、これでは荷物がかさばり子供をつれていて大変な上大きなバッグを持たなければならない。オムツ交換の際も、ひとつひとつバッグから取り出して用意しなければならず大変である。どれかひとつでも忘れると困る上、まだ入っていると思っていたおしりふきがほとんど入っていないということもあり、不便である。
【課題を解決するための手段】
【０００４】  そこで、紙オムツ・おしりふき数枚・使用済みオムツ処理袋を一緒に袋に入れ真空パックにすることを考案した。
【考案の効果】
【０００５】  本考案の真空パックオムツにより荷物をコンパクトにすることが出来、尚且つオムツ交換の用意も容易に出来忘れ物も防止することが出来る。
【考案を実施するための最良の形態】
【０００６】  本考案は図１で示すようにひとつの袋の中に紙オムツ１の他におしりふき２と汚れたオムツを処理する袋３も備えている。そしてそのおしりふきは便の場合も考慮して数枚とし、処理袋は入れた後しっかり縛れるように少し長めの袋にすることが望ましい。
【図面の簡単な説明】
【０００７】
【図１】  圧縮袋の中に紙オムツ・おしりふき・処理袋をセットした平面図である。
【符号の説明】
【０００８】  １        紙オムツ
２        袋入りおしりふき
３        処理袋
４        圧縮袋
【図１】
0003135490.tif 000003
(57)【要約】      （修正有）【課題】歩行に際し足が靴の爪先方向へ移動して足先の先端や側面に疼痛を生じたり、足先の骨に変形症状を与えたりするのを防ぐ。【解決手段】メッシュ状繊維組成物の袋１１に球状または短円筒状の弾力性発泡樹脂の小塊１２を多数収容して凸曲線状の縁と凹曲線状の縁とを持った詰物を形成し、この詰物の凸曲線状の縁が靴の内面に接するように靴の爪先部分内に詰めることによって足の靴内での移動を抑制する。【選択図】図１
0003135484.tif 000002
【実用新案登録請求の範囲】
【請求項１】
多数の弾力性発泡樹脂質小塊を通気性が良好な繊維組成物の袋内に収容した靴の爪先詰物。
【請求項２】
上記弾力性発泡樹脂は弾力性発泡ポリウレタンまたは弾力性発泡ポリスチロールであることを特徴とする請求項１記載の靴の爪先詰物。
【請求項３】
上記袋はメッシュ状の繊維組成物よりなることを特徴とする請求項１記載の靴の爪先詰物。
【請求項４】
上記袋は靴の爪先部分の内面に沿う凸曲線状の縁と、足の爪先に当接する凹曲線状の縁とを有することを特徴とする請求項１記載の靴の爪先詰物。
【考案の詳細な説明】
【技術分野】
【０００１】
本考案は、靴の爪先部分と足先との間に隙間を生じた場合に、その隙間に挿入する詰物に関するものである。
【背景技術】
【０００２】
従来は靴の爪先に詰物を挿入することは特に行われてはおらず、靴内における足の位置は足先の両側と踵とを靴の内面に当接させることによって規正していた。
【考案の開示】
【考案が解決しようとする課題】
【０００３】
歩行の際は、靴内で足が靴の爪先方向へ押込まれる傾向があり、この傾向は婦人用のハイヒール靴の場合に起こり易く、特に爪先が尖った靴の場合に著しい。また、この傾向は男性用の靴においても、靴の形状によってはしばしば見受けられる。そして、足が靴の爪先方向へ強く押込まれるときは、足が靴から強く圧迫された部位に疼痛を感じ、甚だしい場合には骨格が変形する。本考案はこのような足が靴の爪先へ押込まれる現象を軽減しようとするものである。
【課題を解決するための手段】
【０００４】
本考案は、靴の爪先部分に挿入する詰物であり、この詰物はメッシュ状などの通気性が良好な繊維組成物の袋内に多数の弾力性物質の小塊を収容してなり、その小塊を収容した袋の外形は靴の爪先部分に沿い易い形状の凸曲線状の縁と足の爪先に沿い易い形状の凹曲線状の縁とを有している。
【０００５】
上記弾力性物質としては、ポリウレタン、ポリスチロール等の体積が容易に縮小できる発泡樹脂質が望ましい。そしてその形状としては球状、短円柱状など、小塊の相互間に空隙を生じ易くかつ相互に移動し易い形状が望ましく、例えば立方体のような相互間に空隙が出来難く、かつ相互に移動が困難な形状は適当ではない。
【０００６】
また、上記小塊には除菌物質や消臭物質を塗布したり含有させたりすることも有益である。
【考案の効果】
【０００７】
本考案の詰物を予め靴内に収容してからこの靴を履用するときは、詰物はその内部の弾力性物質小塊の圧縮変形や相互移動によって、その凸曲線状の縁は靴の爪先部分の内面に密着し、その凹曲線状の縁は足の爪先の先端にほぼ均等な圧力で当接する。従って歩行により足が靴の爪先部分内へ過度に押込まれる現象を防ぐことができる。また、詰物内に収容されている弾力性物質小塊に除菌物質や消臭物質を保有させることによって、靴内を常に清潔な環境に置くことが出来る。
【考案を実施するための最良の形態】
【０００８】
上記袋としては、通気性に富み変形し易いメッシュ状の繊維組成物が適当である。その中に収容される弾力性物質としては、ポリウレタン、ポリスチロール等の発泡樹脂が柔軟で容易に体積が変化するために適当である。また、これら発泡樹脂塊は、球状または短円筒状など、相互間に空隙が多くかつ相互に移動し易いために適当である。
【実施例１】
【０００９】
図１（ａ）に示すように直径約５ｃｍの円形に裁断したメッシュ布１１を２つ折にし、同図（ｂ）のように縁を縫い合わせ、内部に直径約０．５ｃｍの発泡ポリウレタン球１２、１２・・・を収容すると、凸曲線状の縁と凹曲線状の縁とを有する三ヶ月形の袋で覆われた詰物が出来上がる。ここで１３は縫合線を示す。図２は靴１を示し、２は甲皮、３は靴底、４はヒールであり、５はこの靴１を履いた足を示す。同図に示すように靴１の爪先部分に図１に示した詰物６をその凸曲線状の縁が靴に接するように挿入しておくことにより袋６の凸曲線状の縁が靴１の内面に接触し、凹曲線状の縁が足の爪先に当接して、靴１内での足５の不所望な移動を抑制する。なお、メッシュ布１１の直径及び発泡ポリウレタン球１２、１２・・・の充填量は、靴１の爪先部分の寸法に適合できるように選択することが望ましい。
【実施例２】
【００１０】
図３は、爪先が細く尖った靴用の詰物を示し、（ａ）はメッシュ布２１の形状、（ｂ）は完成した詰物であり、２２、２２・・・は発泡ポリウレタン小球を、２３は縫合線を示す。この詰物は縫合線側の縁が靴の内面に接触するように挿入することによって靴の尖った爪先部分内に入り易い。なお、爪先部分が著しく尖った靴の場合は、メッシュ布を図３（ａ）に示した形状よりも横長の菱形にするとよい。
【産業上の利用可能性】
【００１１】
以上は、婦人用ハイヒール靴を中心に説明したが、ローヒールの靴についても同様に実施できる。また、爪先が細い靴だけでなく、爪先が薄くなった靴にも実施することが出来、従って男性用の靴の場合も、長過ぎる靴や爪先が細い靴や爪先が薄く扁平な靴に実施することが出来、子供用の大き過ぎる靴などにも実施出来る。
【図面の簡単な説明】
【００１２】
【図１】本考案の実施例１の詰物を示し、（ａ）はメッシュ布の平面図、（ｂ）は詰物の外観図である。
【図２】実施例１の詰物を挿入した婦人靴及び足の位置関係を示す断面図である。
【図３】本考案の実施例２の詰物を示し、（ａ）はメッシュ布の平面図、（ｂ）は詰物の外観図である。
【符号の説明】
【００１３】
１      靴
２      甲皮
３      靴底
４      ヒール
５      足
６      詰物
１１    メッシュ布
１２    発泡ポリウレタン小球
１３    縫合線
２１    メッシュ布
２２    発泡ポリウレタン小球
２３    縫合線
【図１】
0003135484.tif 000003
【図２】
0003135484.tif 000004
【図３】
0003135484.tif 000005
(57)【要約】      （修正有）【課題】グリーンフォークを携帯する場合、すばやくグリーンフォークを使用することができるようにする。【解決手段】マグネット式のグリーンマーカーと同じように、帽子のツバなどの位置にマグネットによって固定する。【選択図】図１
0003135482.tif 000002
【実用新案登録請求の範囲】
【請求項１】
柄の部分にマグネットを装着したことを特徴とするグリーンフォーク。
【請求項２】
マグネットは安定性を確保するため、長方形、楕円形、または複数装着することを特徴とする請求項１記載のグリーンフォーク
【考案の詳細な説明】
【技術分野】
【０００１】  この発明は、ゴルフのグリーン上で使用するグリーンフォークに関する。
【背景技術】
【０００２】  従来、グリーンフォークにマグネット式のグリーンマーカーを装着させたものはあったが、グリーンフォーク自体にマグネットを装着したものはなかった。また、グリーンマーカーは帽子等に装着できるものはあったが、グリーンフォークはなかった。【０００３】  そこで、ポケットがなくても、両手に手袋をしていても、すぐにグリーンフォークを使用できるよう、帽子に装着できるマーカーと同じ位置に保持することも可能なように、マグネットを装着した。
【発明の効果】
【０００４】  グリーンフォークをポケットの中で探す時間も短縮でき、フォークの先でポケットの中に穴を開けることもない。また、手にグローブをはめたままではポケットの中に手は入れにくいため、両手にグローブをはめているゴルファーには重宝な発明といえる。
【考案を実施するための最良の形態】
【０００５】  この発明の一実施形態を、図１に示す。
この図の場合円形のマグネットを３個つけているが、長方形または楕円形のマグネットもブレを防止するのに効果的といえる。【０００６】  この発明の一装着形態を、図２に示す。
この図ではマグネット式グリーンマーカーと重ねて、帽子に取り付けた保持金具に取り付けている。
【図面の簡単な説明】
【０００７】
【図１】この発明の一実施形態を示す斜視図である。
【図２】マグネット式グリーンマーカーと組み合わせて使った場合の斜視図である。
【符号の説明】
【０００８】１  一形態であるマグネット。この場合円形のマグネットを３個使用している。
２  マグネット式グリーンマーカー
３  マグネット付きグリーンフォーク
４  帽子に取り付けたマグネット保持金具
【図１】
0003135482.tif 000003
【図２】
0003135482.tif 000004
(57)【要約】      （修正有）【課題】マッサージ感に優れたものとなるマットを提供する。【解決手段】マッサージに際して用いられる弾性材で構成されたマットであって、マット１は、マット１の一端部１ａ側とマット１の他端部１ｂ側との間に二つの凹部３ａ，３ｂが横に並列して形成されてなると共に、マットの一端部１ａ側には凹部２が形成されてなる。【選択図】図１
0003135438.tif 000002
【実用新案登録請求の範囲】
【請求項１】
マッサージに際して用いられる弾性材で構成されたマットであって、
前記マットは、
該マットの一端部側と該マットの他端部側との間に二つの凹部が横に並列して形成されてなると共に、
該マットの一端部側には凹部が形成されてなる
ことを特徴とするマッサージ用マット。
【請求項２】
マットは、
平面視が略矩形状で、かつ、上面に傾斜面を有し、縦断面が略台形状である
ことを特徴とする請求項１のマッサージ用マット。
【請求項３】
二つの凹部が傾斜面に位置して設けられてなる
ことを特徴とする請求項１又は請求項２のマッサージ用マット。
【請求項４】
弾性材がスポンジである
ことを特徴とする請求項１〜請求項３いずれかのマッサージ用マット。
【請求項５】
マッサージを受ける被施術者が女性である女性用のマッサージ用マットである
ことを特徴とする請求項１〜請求項４いずれかのマッサージ用マット。
【考案の詳細な説明】
【技術分野】
【０００１】
本考案はマッサージ用のマットに関する。
【背景技術】
【０００２】
マッサージに際して、被施術者はマットの上にうつ伏せになっている。そして、施術者は、被施術者の上から、施術している。
この時、使用されているマットは、通常、表面が平坦なマットである。
【考案の開示】
【考案が解決しようとする課題】
【０００３】
さて、マットの上にうつ伏せになっている場合、そのマットの表面が平坦であると、被施術者は圧迫感を強く受け、折角のマッサージ感がもう一つのものであることが判って来た。
【０００４】
従って、本考案が解決しようとする課題は、マッサージ感に優れたものとなるマットを提供することである。
【課題を解決するための手段】
【０００５】
前記の課題は、
マッサージに際して用いられる弾性材で構成されたマットであって、
前記マットは、
該マットの一端部側と該マットの他端部側との間に二つの凹部が横に並列して形成されてなると共に、
該マットの一端部側には凹部が形成されてなる
ことを特徴とするマッサージ用マットによって解決される。
【０００６】
又、上記のマットであって、好ましくは、マットが、平面視が略矩形状で、かつ、上面に傾斜面を有し、縦断面が略台形状であることを特徴とするマッサージ用マットによって解決される。
【０００７】
又、上記のマットであって、好ましくは、二つの凹部が傾斜面に位置して設けられてなることを特徴とするマッサージ用マットによって解決される。
【０００８】
又、上記のマットであって、好ましくは、弾性材がスポンジであることを特徴とするマッサージ用マットによって解決される。
【０００９】
又、上記のマットであって、好ましくは、マッサージを受ける被施術者が女性である女性マッサージ用マットであることを特徴とするマッサージ用マットによって解決される。
【考案の効果】
【００１０】
上記のように構成させてなる本考案のマッサージ用マットは、被施術者の受けるマッサージ感が非常に優れたものになる。特に、被施術者が女性の場合には非常に優れたマッサージ用マットである。
【考案を実施するための最良の形態】
【００１１】
本考案は、マッサージ用のマットである。特に、女性患者用のマッサージ用マットである。そして、弾性材で構成されたマットである。中でも、スポンジで構成されたマットである。前記マットは、該マットの一端部側と該マットの他端部側との間に二つの凹部が横に並列して形成されてなると共に、該マットの一端部側には凹部が形成されてなる。そして、好ましくは、前記マットは、平面視が略矩形状で、かつ、上面に傾斜面を有し、縦断面が略台形状である。そして、好ましくは、前記二つの凹部は傾斜面に位置して設けられてなる。
【００１２】
以下、更に詳しく説明する。
【００１３】
図１及び図２は、本考案に係るマッサージ用マットの平面図及び側面図である。
【００１４】
各図中、１はスポンジ製のマットである。このマットは、図１からも判る通り、平面視で略矩形状である。例えば、横（左右）方向の寸法が４１０ｍｍである。縦（上下）方向の寸法が４９０ｍｍである。そして、図２からも判る通り、縦断面が略台形状である。例えば、上面の平坦面部の長さが１３５ｍｍ（一端部１ａからの平坦（上面が水平面）領域の長さが１３５ｍｍ）で、一端部１ａ側（平坦面部）における厚さは９５ｍｍであり、他端部１ｂ側の厚さが３５ｍｍである。そして、一端部１ａから１３５ｍｍの位置より他端部１ｂ側に掛けての領域の上面１ｃが傾斜面である。
【００１５】
マット１の一端部１ａ側には凹部２が形成されている。この凹部２は、例えば幅が１７０ｍｍで、凹深さが１０５ｍｍの形状で、左右から対称な位置に形成されたものである。
【００１６】
マット１の一端部１ａ側と他端部１ｂ側との間には二つの孔３ａ，３ｂが横に並列して（左右に並列して）形成されている。この孔３ａ，３ｂは、例えば幅が１３０ｍｍで、長さが２０５ｍｍの略トラック形状をしたものである。そして、その形成位置は、孔３ａ，３ｂの一端部側がマット１の一端部１ａから１３５ｍｍの位置である。すなわち、孔３ａ，３ｂは傾斜面の位置に形成されている。又、孔３ａと孔３ｂとは左右対称な位置に形成されている。尚、図１では、マット１の表面にはカバーが掛かっているので、孔３ａ，３ｂは点線で示されている。
【００１７】
上記の如くに構成させたマッサージ用マットにうつ伏せになると、顔（頭部）が、丁度、凹部２に位置するようになり、又、一対の乳部の各々が、丁度、孔３ａ，３ｂに位置するようになる。更には、体はマット１の傾斜面で受け止められる。従って、うつ伏せ状態であっても、圧迫感を体が受け難いものとなる。特に、女性の場合には胸部に掛かる圧迫感が非常に少ないものとなる。よって、マッサージを受けている時、そのマッサージ感が良いものとなる。
【図面の簡単な説明】
【００１８】
【図１】本考案に係るマッサージ用マットの平面図
【図２】本考案に係るマッサージ用マットの側面図
【符号の説明】
【００１９】
１          マット
１ａ        一端部
１ｂ        他端部
２          凹部
３ａ，３ｂ  孔（凹部）
代  理  人  宇  高  克  己
【図１】
0003135438.tif 000003
【図２】
0003135438.tif 000004
(57)【要約】【課題】水やりの手間を省くことができる苔玉栽培セットを提供する。【解決手段】上部が開放された容器１と、この容器１の底に配置される給水手段であるハイドロゲル層２と、このハイドロゲル層２の上に配置する、表面が苔で覆われた苔玉３とからなる苔玉栽培セット。ハイドロゲル層２は、シート状の層あるいは粒からなる層に形成することができる。ハイドロゲル層は、水を吸収しゲル中に蓄積し、吸水した水を徐々に放出して植物に長期間、水を供給することが可能である。【選択図】図１
0003135440.tif 000002
【実用新案登録請求の範囲】
【請求項１】
上部が開放された容器と、この容器の底に配置される給水手段であるハイドロゲル層と、このハイドロゲル層の上に配置される、表面が苔で覆われた苔玉とからなることを特徴とする苔玉栽培セット。
【請求項２】
前記ハイドロゲル層がシート状の層であることを特徴とする請求項１記載の苔玉栽培セット。
【請求項３】
前記ハイドロゲル層が粒からなる層であることを特徴とする請求項１記載の苔玉栽培セット。
【考案の詳細な説明】
【技術分野】
【０００１】
本考案は、苔玉を水盤などの容器に配置して栽培する際に、途中で水やりをすることなく栽培することができる苔玉栽培セットに関する。
【背景技術】
【０００２】
吸水性に富む水苔が表面に被覆された苔玉は、それ自体がインテリアとして利用されたり、あるいは苔玉を培地とし、そこに観賞用植物やその種子を植え付け、潅水して栽培・育成したりして苔玉盆栽として愛好されている。
【０００３】
例えば、特許文献１には、上部を適宜大きさで観賞用植物を植える開口部を形成するとともに、その表面に苔を貼り付けることができ且つ透水性を有する網籠体内にスポンジ等の保水材を充填し、網籠体の表面全体に苔植物を貼り付けるとともに細糸を巻き付けて、網籠体の表面に苔植物を保持させた苔玉が開示されている。この苔玉を水盤内に配置して通常の鉢植え植物と同様に、適宜灌水を施すことで開口部に植えた観賞用植物、及び苔植物を栽培、育成することができる。
【０００４】
また、特許文献２には、観賞魚用の水槽の上部開口部に植物用受け皿を設置し、植物の根を水苔で、または用土と水苔でくるんで加工した苔玉盆栽を受け皿に置き、水槽内に入れた水で植物に自動給水するための紐を受け皿に設け、植物に自動給水できるようにする受け皿付水槽が開示されている。
【特許文献１】特開２００５−３２３５２０号公報
【特許文献２】実用新案登録第３０９７０４０号公報
【考案の開示】
【考案が解決しようとする課題】
【０００５】
苔玉の栽培・育成を管理するためには水やりが必要である。前記引用文献１では、定期的に水やりをしなくてはならない。また、前記引用文献２でも、観賞魚の生息のために定期的に水槽の水を取り替えなくてはならない。したがって、いずれも水やり作業や水の取り替え作業に手間がかかる。
【０００６】
そこで、本考案は、ハイドロゲルを給水手段として用いることにより水やりの手間を省くことができる苔玉栽培セットを提供するものである。
【課題を解決するための手段】
【０００７】
本考案の苔玉栽培セットは、上部が開放された容器と、この容器の底に配置された給水手段であるハイドロゲル層と、このハイドロゲル層の上に配置される、表面が苔で覆われた苔玉とからなることを特徴とする。
【０００８】
ハイドロゲル層は、膨潤によりシート状の層あるいは粒からなる層に形成する。ハイドロゲルは、水を吸収してゲル中に蓄積し、吸水した水を徐々に放出して植物に長期間、水を供給することが可能である。ハイドロゲルは、市販されているハイドロゲルを使用することができる。
【考案の効果】
【０００９】
本考案の苔玉栽培セットは、容器の底にハイドロゲル層を配置し、苔玉を載せるだけで給水手段となるハイドロゲル層により苔玉及び観賞用植物に長期間に亘り給水可能となるので、水やりの手間を省くことができる。
【００１０】
さらに、本考案の苔玉栽培セットは、ハイドロゲルに直接植物を植え込まず、苔玉の苔で固定するため、植物の植え傷みや倒れを少なくすることができる。
【００１１】
また、無色に近いハイドロゲルの持つ清涼感が自然の苔を使用した苔玉の可愛らしさをより一層ひき立ててくれる。
【考案を実施するための最良の形態】
【００１２】
本考案の実施例について図面を用いて説明する。
【実施例１】
【００１３】
図１は本考案による苔玉栽培セットの実施例を示す図である。
【００１４】
水盤などの上部が開放された容器１の底に高分子であるハイドロゲル層２が配置される。本実施例では、シート状の層によりハイドロゲル層２が形成される。給水手段となるハイドロゲル層２は、吸水した水を徐々に放出して観賞用植物や苔に水を供給することが可能となる。
【００１５】
ハイドロゲルの上に苔玉３が配置される。苔玉は、ハイドロゲル層２から苔玉へ給水できる状態に配置するため、ハイドロゲル層２に載せたり、ハイドロゲル層２に浅く埋めたり、あるいは観賞用植物の種類によっては、半分くらい埋めてもよい。また、容器１の底に少し水がある状態にしておいてもよい。
【００１６】
苔玉の苔には苔としては、例えば、ミズシダゴケ、ウイローモスなどで覆う。苔は、目立たないように細い透明のテグス５を苔の上から形を整えながら巻き付けて定着させる。
【００１７】
苔玉３には観賞用植物４を植える。植物４は、特に限定されるものではなく、鑑賞者の好み、季節などにより適宜選択することができる。植物４は、根が苔の間やハイドロゲル中に伸びて生長していく。
【００１８】
給水手段となるハイドロゲル層２は、吸水した水を徐々に放出して苔玉、及び苔玉を通して観賞用植物に水を長期間にわたり充分に供給することが可能となる。その結果、水やりの手間を省くことができる。
【実施例２】
【００１９】
図２は本考案による苔玉栽培セットの別実施例を示す図である。
【００２０】
本実施例は、容器１の底に粒からなる層のハイドロゲル層２を形成したものである。ハイドロゲル層２の形成に粒状のハイドロゲルを使用するので、湿潤前に容器の形状に合わせて粒状のハイドロゲルを収めることができるので、複雑な形状の容器でも容易にハイドロゲル層２を形成することができる。
【００２１】
本実施例においても、実施例１と同様に粒状のハイドロゲルにより形成されたハイドロゲル層２が、吸水した水を徐々に放出して観賞用植物や苔に水を長期間供給することが可能となる。
【図面の簡単な説明】
【００２２】
【図１】本考案による苔玉栽培セットの実施例を示す図である。
【図２】本考案による苔玉栽培セットの別実施例を示す図である。
【符号の説明】
【００２３】
１：容器  
２：ハイドロゲル層
３：苔玉        
４：観賞用植物 
５：テグス  
【図１】
0003135440.tif 000003
【図２】
0003135440.tif 000004
(57)【要約】【課題】弾性付き網状布を一体成形可能であり、縫い糸なしのフラット面を有し、吸汗性およびエア透過性が優れ、ブラジャー、胸支え、調整型下着や調整型衣服などの作製に衣料として直接に使用可能である一体成形弾性付き網状布を提供する。【解決手段】少なくとも２層を有し、互いに重ねられ、粗さが２８０デニール以上である弾性付き網状布と、金型にて二つずつの弾性付き網状布を熱圧着して形成され、金型にて熱圧着された二つずつの弾性付き網状布が互いに結合して一体になり、該弾性付き網状布の外面は縫いなしのフラット面である複数の熱圧着線とを含む。【選択図】図１
0003135434.tif 000002
【実用新案登録請求の範囲】
【請求項１】
少なくとも２層を有し、互いに重ねられ、粗さが２８０デニール以上である弾性付き網状布と、金型にて二つずつの弾性付き網状布を熱圧着して形成され、金型にて熱圧着された二つずつの弾性付き網状布が互いに結合して一体になり、該弾性付き網状布の外面は縫いなしのフラット面である複数の熱圧着線とを含むことを特徴とする、一体成形弾性付き網状布。
【請求項２】
前記弾性付き網状布の素材は竹炭素繊維であることを特徴とする、請求項１に記載の一体成形弾性付き網状布。
【請求項３】
前記弾性付き網状布は、ブラジャー、胸支え、調整型下着や調整型衣服などの作製に衣料として直接に使用可能であることを特徴とする、請求項１に記載の一体成形弾性付き網状布。
【考案の詳細な説明】
【技術分野】
【０００１】
本考案は、一体成形弾性付き網状布に係り、特に、２８０デニール以上の弾性付き網状布を一体に結合することにより、得られた布は、弾性が良くて、吸汗性およびエア透過性が優れた一体成形弾性付き網状布に関するものである。
【背景技術】
【０００２】
目下、一般の調整型下着や調整型衣服などは、弾性付き網状布を縫って形成されるものであり、弾性付き網状布の吸汗性およびエア透過性が優れるので、着用の快適性が良いが、弾性付き網状布を縫った後、着用される調整型下着や調整型衣服などの縫い箇所にある縫い糸が皮膚を圧迫するので、着用の快適性が落とされる。
【０００３】
上記課題を解決するために、あるメーカは、２層以上の編み織布などを熱圧着して一体に結合される衣料を調整型下着や調整型衣服などの作製に使用され、しかし、このような衣料の吸汗性およびエア透過性は弾性付き網状布のように良くない欠点がある。
【考案の開示】
【考案が解決しようとする課題】
【０００４】
本考案の主な目的は、２８０デニール以上の弾性付き網状布を一体に結合することにより、得られた布は、弾性が良くて、吸汗性およびエア透過性が優れた一体成形弾性付き網状布を提供することにある。
【課題を解決するための手段】
【０００５】
上記目的を達成するためになされた本考案は、少なくとも２層を有し、互いに重ねられ、粗さが２８０デニール以上である弾性付き網状布と、
【０００６】
金型にて二つずつの弾性付き網状布を熱圧着して形成され、金型にて熱圧着された二つずつの弾性付き網状布が互いに結合して一体になり、なお、弾性付き網状布の外面は縫いなしのフラット面である複数の熱圧着線とを含むことを特徴とする、一体成形弾性付き網状布であることを要旨としている。
【０００７】
本考案では、前記弾性付き網状布の素材は竹炭素繊維であることを特徴とする請求項１に記載の一体成形弾性付き網状布であることを要旨としている。
【０００８】
本考案では、前記弾性付き網状布は、ブラジャー、胸支え、調整型下着や調整型衣服などの作製に衣料として直接に使用可能であることを特徴とする請求項１に記載の一体成形弾性付き網状布であることを要旨としている。
【考案の効果】
【０００９】
本考案の一体成形弾性付き網状布によれば、次のような効果がある。
（イ）弾性付き網状布を一体成形可能であり、縫い糸なしのフラット面を有し、吸汗性およびエア透過性が優れ、ブラジャー、胸支え、調整型下着や調整型衣服などの作製に衣料として直接に使用可能である。
【００１０】
（ロ）本考案の弾性付き網状布が熱圧着にて結合するので、金型には熱圧着用ヒータを設けるだけで、弾性付き網状布を結合することができ、そして熱圧着にて一体に結合された弾性付き網状布は、縫い糸なしのフラット面を有するので、着用の快適性は優れた。
【考案を実施するための最良の形態】
【００１１】
以下、添付図面を参照して本考案の好適な実施の形態を詳細に説明する。
【００１２】
まず、図１と図２を参照する。本考案の実施例１の一体成形弾性付き網状布は、少なくとも２層の弾性付き網状布１０，１１と、複数の熱圧着線１２とを含む。
【００１３】
前記弾性付き網状布１０，１１は、互いに重ねられ、粗さが２８０デニール以上であり、だから、吸汗性およびエア透過性が優れ、そして前記弾性付き網状布１０，１１の素材は竹炭素繊維であってもいい。
【００１４】
前記熱圧着線１２は、金型（図示せず）にて二つずつの弾性付き網状布１０，１１を熱圧着して形成され、前記金型は、上型と、下型とを含み、前記上型と下型との対向する端面には熱圧着用ヒータが設けてあり、前記弾性付き網状布１０，１１は、前記上型と下型にて熱圧着されて一体に結合するようになり、そうすると、弾性付き網状布１０，１１の外面は縫いなしのフラット面になる。
【００１５】
また、前記熱圧着線１２は、ハチ巣の形状にしてもよく、そうすると、弾性付き網状布１０，１１の結合効果が更に良くなる。
【００１６】
次に、図３と図４を参照する。各弾性付き網状布１０，１１は、ブラジャー、胸支え、調整型下着や調整型衣服などの作製に衣料として直接に使用可能であり、だから、弾性付き網状布を熱圧着して結合した後、調整型衣服２０や胸支え３０の作製に衣料として直接に使用可能であり、そうすると、このような弾性付き網状布で作製された調整型衣服２０や胸支え３０は、吸汗性およびエア透過性が良く、且つ着用の快適性も優れた。
【図面の簡単な説明】
【００１７】
【図１】分解斜視図
【図２】外観斜視図
【図３】実施例１の概略図
【図４】実施例２の概略図
【符号の説明】
【００１８】
１０  弾性付き網状布
１１  弾性付き網状布
１２      熱圧着線
２０      調整型下着
３０      胸支え
【図１】
0003135434.tif 000003
【図２】
0003135434.tif 000004
【図３】
0003135434.tif 000005
【図４】
0003135434.tif 000006
(57)【要約】【課題】  トランシーバーの従来品の音量では周囲の第三者に聞き取れないので、周囲の第三者にも聞き取れる拡声器とする。【解決手段】  ボリューム付き拡声器に周波数設定機を設置することにより、トランシーバーの周波を受信でき、拡声器により大音量で放送できるため騒音場所でも聞き取ることができる。【選択図】図１
0003135474.tif 000002
【実用新案登録請求の範囲】
【請求項１】
拡声器に周波数チューナーとボリュームを設置してトランシーバー周波域の放送音量を拡大させ周囲の第三者も聞き取れるようにして、なおかつ中継器としても利用でき周波域の拡大も図ることを特徴とするトランシーバー用拡声器付き無線中継器である。
【考案の詳細な説明】
【技術分野】
【０００１】  本考案は、拡声器に周波数設定機とボリュームを融合したものである。
【背景技術】
【０００２】  トランシーバー間で話をするときはトランシーバーを所持していなければならなく、周囲の者には聞こえなかった。
【考案の開示】
【考案が解決しようとする課題】
【０００３】  周囲の騒音の大きい場所ではトランシーバーが聞き取りずらくトランシーバーの最大ボリュームの上限も低かったため周囲に聞こえなかった。
【課題を解決するための手段】
【０００４】  ボリューム付き拡声器に周波数設定機を設置することにより、トランシーバーの周波を受信でき、拡声器により大音量で放送できるため騒音場所でも聞き取ることができる。
【考案の効果】
【０００５】  従来の音量よりも大きな音量で周囲の第三者でも聞き取れるようにする。
【考案を実施するための最良の形態】
【０００６】  本拡声器にボリュームと周波数設定機器に調整つまみを設置することにより、使用状態に合わせて使用することが出来る。
【実施例】
【０００７】  Ｂ−Ｃ間の会話がポイントＡで聞き取れないときに、Ａ（本拡声器）を設置することによりＢ，Ｃ，Ｄ及びポイントＡで会話を聞き取ることができるようになる。
【産業上の利用可能性】
【０００８】  例として、道路工事場所などでガードマン通しの連絡を中継地点（本考案機器）で確認できるため、第三者等に注意を促すことが出来る。
【図面の簡単な説明】
【０００９】
【図１】  本拡声器の使用状況の例を表した使用例図である。
【図２】  本拡声器本体の部位説明図である。
【符号の説明】
【００１０】Ａ  本拡声器
Ｂ  トランシーバー利用者１
Ｃ  トランシーバー利用者２
１  本拡声器本体
２  アンテナ（周波受信用）
３  周波数調整機
４  ボリューム（音量調整器）
【図１】
0003135474.tif 000003
【図２】
0003135474.tif 000004
(57)【要約】      （修正有）【課題】刃物や針などから体を守ることができる防刃防針服の提供。【解決手段】三角形状の金属板１を連結金物３で連続してつなぎ合わせ、隙間を金属板小２で覆って作った体を守る服。【選択図】図１
0003135478.tif 000002
【実用新案登録請求の範囲】
【請求項１】
三角形状の金属板を連続してつなぎ合わせ服の形にし、三角形の頂点が集まる所に出来てしまう穴を小さい金属板で覆ようにした防刃防針服。
【考案の詳細な説明】
【技術分野】
【０００１】本考案は、刃物取り扱い時に着用する安全具に関する。
【背景技術】
【０００２】従来の防刃服は布で作った服にポケットを付け、その中に金属板を入れた物や、鎖で編んだりしたものや、特殊繊維で出来たものがある。
【考案の開示】
【考案が解決しようとする課題】
【０００３】しかし、これでは、金属板が大きすぎて体を動かしずらかったり、金属板が無い所では怪我をしてしまったり、鎖で編んだものや特殊繊維はアイスピックの様なとがった物に対しては体を守る事は出来なかった。
【課題を解決するための手段】
【０００４】上記の問題を解決するために、金属板を小さくし、さらに三角形にして斜めの動きにたいして動きやすくなるようにする。連結金物でつなぎ合わせ、隙間を金属板小で覆うようにし、体の大きさに合わせてつなぎ、ベルトなどで体に着用する。
【考案の効果】
【０００５】よって、体をねじる動きに対しても柔軟に動き、隙間を金属板で隠す事によりアイスピックなどのとがった物に対しても十分な効果を発揮できる用になる。
【考案を実施するための最良の形態】
【０００６】本考案に係る防刃防針服は、図１に示すように、金属板１を小さくし、さらに三角形にして斜めの動きにたいして動きやすくなるような形にし、連結金物３でつなぎ合わせ、隙間を小さな金属板２で覆うようにし、図２のように体の大きさに合わせてつなぎ合わせる、素材はチタンで形成するのが軽くて望ましい、それを図３のようにベルトなどで体に着用する。
【図面の簡単な説明】
【０００７】
【図１】三角版の拡大斜視図
【図２】連結した平面図
【図３】着用図
【符号の説明】
１三角形の金属板
２金属板小
３連結金物
【図１】
0003135478.tif 000003
【図２】
0003135478.tif 000004
【図３】
0003135478.tif 000005
(57)【要約】【課題】本考案はチェーンソーのバーに、目立てをする刃の角度を示す線を設けることによって、チェーンソーの刃の目立てを容易にする。【解決手段】本考案はチェーンソーのバー１に目立てする刃の角度を示す幅のある線２、幅のある線２ａをバー１の両面に印す。目立てをする時は幅のある線２、またはバーを上下ひっくりかえした時に目立てをする時は，幅のある線２ａに従って丸やすりでチェーンソーの刃を研磨すると、最良の刃の角度の目立てを容易にすることが出来る。【選択図】図１
0003135479.tif 000002
【実用新案登録請求の範囲】
【請求項１】
チェーンソーのバーの両面に、そのチェーンソーの刃の目立てに利用できる角度を示す線と、バーを上下ひっくり返して使用する時も、目立てに利用できる角度を示す線をバーに印した、チェーンソーのバー。
【考案の詳細な説明】
【技術分野】
【０００１】  本考案は、バーに目立て用の角度を示す斜線を印した、チェーンソーに関するものである。
【背景技術】
【０００２】  チェーンソーの目立てを丸やすりを使って手動で行う時、刃の角度を示す目立て用の角度ガイドを使うか、ガイドが無い時は目検討で角度を出して目立てをしていた。
【考案の開示】
【０００３】  目立て用の角度ガイドを購入することは、経済的負担も大きいし、刃の目立ては現場ですることが多いので正しく目立をするには、目立て用の角度ガイドを現場に持っていく必要がある。目立てに熟練してない者が角度ガイドを使わず目立てをすると刃の角度が不揃になり切れ味が悪い、木材を切るとき刃切れが良くチェーンソーに負担を掛けない最良の角度、チェーンソーの刃の型式よって２５度或いは３０度等がある。そのチェーンの刃の型式に合った角度をすべての刃に角度ガイド無しで目立てをするには熟練を要する。
【課題を解決するための手段】
【０００４】  本考案は、チェーンソーのバーに、刃の最良の角度２５度或いは３０度等の刃の角度の延長線をバーの両面に印すことによって、問題点を解決している。
【考案の効果】
【０００５】  上述の様に、本考案の目立て用の斜線を印したチェーンソーのバーは、角度用のガイドを使わなくても丸やすりがあれば誰でも簡単に２５度または、３０度等の角度の揃った、チェーンソーの刃の目立てが出来る。
【考案を実施するための最良の形態】
【０００６】  目立てをする刃に丸やすりの先端部を当て、斜め上から見たときバーに印した斜線に丸やすりが重なる位置に丸やすりを持っていって、その状態で丸やすりを往復させて目立てをすれば、自ずと刃の角度が斜線の角度の２５度或いは３０度等になる。
【実施例】
【０００７】  以下、添付図面に従って一実施例をチェーンソー刃（図示せず）の角度が一般的に多い３０度の場合の説明をする。１はチェーンソーのバー。２は刃の角度の３０度の延長線で丸やすりが，見た目で合わし易いように丸やすりの直径ぐらいの幅のある線、２ａはチェーンソーを使用すると、バー１は力が掛かる片方が磨耗する為上下ひっくり返して使用する、２と同様角度も３０度の同じく幅のある線。チェーンソーの刃の目立ては、バー１の両面からするので、バー１の両面に同じ線のしるしをする。【０００８】  本考案の一実施例は上述の如き構成からなるものであるから、チェーンソーの刃の目立てをする時、丸やすりの先端部を目立てする刃にあて斜め上から見て、幅のある線２に丸やすりが重ね合って見える位置に丸やすりを持っていってそのまま、丸やすりが刃の全体にあたるように幅のある線２、バー１を上下ひっくり返して使用する時は、幅のある線２ａに沿って丸やすりを往復させて刃の目立てをすれば、自ずと３０度の角度の刃の目立てが誰でも簡単に出来る。
【図面の簡単な説明】
【０００９】
【図１】本考案の目立て用の斜線を印したチェーンソーのバーの実施例を示す一部切断した正面図である。
【符号の説明】
【００１０】  １  チェーンソーのバー
２  ２列ある刃のうちの奥の方の刃の角度の延長線
２ａ  ２列ある刃のうちの手前の方の刃の角度の延長線
【図１】
0003135479.tif 000003